(57)【特許請求の範囲】
【請求項１】
本体カバーのほぼ平坦に形成された主面から突出するように設けられた受光部と、
受光部に対して試験光を照射する試験光源とを備える火災検知器において、
試験光源は、受光部に設けられた透光性の受光用窓と異なる前記主面とほぼ面一になるように設けられた透光性の試験用窓の内側に設けられていることを特徴とする火災検知器。
【請求項２】
試験用窓の内側に所定の情報を表示する表示灯が設けられていることを特徴とする請求項１に記載の火災検知器。
【請求項３】
試験光源に対して受光部とは反対側にあって、試験光源からの光を受光部側へ反射する反射面を有する反射部材を備え、
反射面は、前記主面に平行な断面が円又は円弧状になるように形成され、
試験光源は、前記円又は円弧の各点から等しい距離にある等距離点よりも、反射部材に近い所定位置に設けられていることを特徴とする請求項１に記載の火災検知器。
【請求項４】
反射部材は円筒形であることを特徴とする請求項３に記載の火災検知器。
【請求項５】
前記所定位置は、受光部側へ反射する試験光源の量が最も大きくなるように反射面と試験光源の位置関係を放物面と焦点の位置関係に近似した位置であることを特徴とする請求項３または４に記載の火災検知器。
【請求項６】
試験用窓の内側であって、前記等距離点を通り前記主面を含む平面に直交する直線上に、所定の情報を表示する表示灯が設けられていることを特徴とする請求項３〜５のいずれかに記載の火災検知器。
【発明の詳細な説明】
【０００１】
【発明の属する技術分野】
この発明は、炎を受光部で検知して火災を報知する火災検知器に関し、特に自己試験用の光源を備える火災検知器に関する。
【０００２】
【従来の技術】
防災上、トンネルなどには炎を検知する火災検知器が設置されている。従来の火災検知器の一部を図６に示した。ここで示す火災検知器には、本体カバー７の内側に光を受光する受光部１が設けられ、受光用窓２を通過して入射した炎の光を検出するようになっている。図６では受光部１は１つのみ示しているが、トンネルなどの側壁に設置された状態で出来るだけトンネル内の走行方向に広い監視範囲を有するように、受光部１は左右に並ぶように２個設けられ、これら２つの受光部１は側壁にほぼ平行する検知器の主面７ａに対して斜めに突出するように設けられる。
【０００３】
ところで、火災検知器では、受光用窓２が粉塵などによってひどく汚れると受光感度が低下する。そこで、定期的に清掃されるとともに、受光部１の感度を確認するため自動的に試験を行うようになっている。この試験のために、火災検知器の筐体の一部を突出させ突出部６を形成し、突出部６の中に試験光源３および光を反射する反射板４を設置し、突出部６の受光部１側の壁部には光を透過する試験用窓５を設ける。このように突出部６を主面７ａから突出させることで、試験光源３が受光部１の監視範囲内に入り、試験光源３からの光が受光部１に届くようになる。
そして、火災検知器は、多数の火災検知器を統括する受信機から、試験を行う旨を指示する信号を受けると、試験光源３を発光させる。その光を受光部１が受光すると、正常レベルか、あるいは受光用窓２の汚れなどを原因とする警報レベルのいずれかの信号を受信機に出力するようになっている。
【０００４】
【発明が解決しようとする課題】
しかし、従来の火災検知器では、前述のようになるべく広い監視範囲を確保するため受光部１が主面７ａから突出していることに加えて、突出部６を設けたことから、表面の凹凸が多くなり、汚れが付着しやすく、清掃しづらいという問題があった。
また、反射板４について、光を一方向（ここでは受光部１）に向けるには、図７（ａ）に示すように放物面状に形成し、その焦点に光源を配置すると、反射光（実線）が平行に放出され、最も効率が良いことが知られている。しかし、放物面の成形や加工には高度な技術を要しコストが高くなるため、実際には図７（ｂ）の平面や、同じく（ｃ）の平面Ｐ、Ｐと曲面Ｒとから構成される形状で代用し、その分効率が低かった。
【０００５】
本発明の課題は、凹凸が少なく、その結果清掃が容易であり、また試験光源からの光が効率よく受光部に届く火災検知器を提供することにある。
【０００６】
【課題を解決するための手段】
以上の課題を解決するため、請求項１に記載の発明は、例えば図２に示すように、
本体カバー（７）のほぼ平坦に形成された主面（７ａ）から突出するように設けられた受光部（１）と、
受光部に対して試験光を照射する試験光源（３）とを備える火災検知器（２０）において、
試験光源は、受光部に設けられた透光性の受光用窓と異なる前記主面とほぼ面一になるように設けられた透光性（試験光源の光を透過する）の試験用窓の内側に設けられていることを特徴とする。
【０００７】
請求項１に記載の発明によれば、試験光源を受光部に設けられた透光性の受光用窓と異なる試験用窓の内側に収め、試験用窓を本体カバーの平坦な主面とほぼ面一としたので、検知器表面の凹凸が少なく、したがって、汚れがつきにくく清掃も容易となる。
ここで、本体カバーとは、火災検知器の回路基板等の主要部を収め、あるいは覆うもので、平板な蓋状のものでもよいし、ある程度厚みを有する箱体であってもよい。
【０００８】
請求項２に記載の発明は、請求項１に記載の火災検知器において、試験用窓の内側に所定の情報を表示する表示灯（１２）が設けられていることを特徴とする。
請求項２に記載の発明によれば、試験光源と表示灯を試験用窓の内側に収め、試験用窓を共用化したので、構造を単純化しその分コストを抑えることができる。
ここで、「所定の情報」とは、検出動作中、火災検出、試験動作中、故障等である。
【０００９】
請求項３に記載の発明は、請求項１に記載の発明において、
試験光源に対して受光部とは反対側にあって、試験光源からの光を受光部側へ反射する反射面（１０ｂ）を有する反射部材（１０）を備え、
反射面は、前記主面に平行な断面が円又は円弧状になるように形成され、
試験光源は、前記円又は円弧の各点から等しい距離にある等距離点よりも、反射部材に近い所定位置に設けられていることを特徴とする。
【００１０】
請求項３に記載の発明によれば、反射部材の反射面を前記主面に平行する断面の形状が円又は円弧状になるように形成し、試験光源は、反射面を形成する円又は円弧の各点から等しい距離にある等距離点よりも、反射部材に近い所定位置に設けられている。よって、等距離点を通る直線上に設置するよりも、試験光源から発し反射面で反射した光は平行光に近くなり、試験光源を挟んで反射面とは反対側に位置する受光部に反射光が届きやすくなる。したがって、受光部に入射する光量の効率を増やすことができる。
請求項３において、「前記主面に平行な断面が円又は円弧状になるように形成された反射面を有する反射部材」の形状としては、例えば請求項４のように円筒形状であってもよいし、円筒形状の一部や球状の一部が挙げられる。また、「円又は円弧の各点から等しい距離にある等距離点」とは、反射部材が円筒形状であれば、円筒の長さ方向に走る中心線を構成する一点であるし、球状の一部であれば球の中心である。
【００１１】
また、請求項３または４に記載の火災検知器において、請求項５に記載の発明のように、前記所定位置について、受光部側へ反射する試験光源の量が最も大きくなるように反射面と試験光源の位置関係を放物面と焦点の位置関係に近似した位置であることが好ましい。
【００１２】
請求項６に記載の発明は、請求項３〜５のいずれかに記載の火災検知器において、
試験用窓の内側であって、前記等距離点を通り前記主面を含む平面に直交する直線上に、所定の情報を表示する表示灯が設けられていることを特徴とする。
請求項６に記載の発明によれば、請求項２同様の効果を奏することに加えて、表示灯も反射部材を利用でき、特に前記等距離点を通り前記主面を含む平面に直交する直線上に表示灯を設けたので、表示灯の光が反射面で反射することで、表示灯の正面に広がるエリアのより広い範囲に表示灯からの光が届き、視認される範囲を広げることができる。
ここで、「所定の情報」とは請求項２と同様である。
【００１３】
【発明の実施の形態】
以下、この発明の実施の形態について、図面を参照しながら説明する。
図１には本発明の火災検知器２０を示し、図２にはその一部を示す。図１、図２において、図６と全く同様の構成については同符号を付し、説明は簡略化する。火災検知器２０は、外観上、本体カバー７と蓋部８とから構成され、本体カバー７の主面７ａから突出した中央部７ｂに透光性を有する受光用窓２、２が設けられている。各受光用窓２それぞれの内部には、各受光用窓２を透過した光を受光する受光部１が基台１ａ上に設けられている。各受光部１は例えば３種類の波長に対応して３つの受光素子を有する。
なお、本体カバー７は、図示しない回路基板等を内蔵する箱体である。
【００１４】
本体カバー７には、受光部１の監視範囲内であって、かつ、主面７ａとほぼ面一になるように透光性を有する円盤状の試験用窓１１が設けられている。
この試験用窓１１の縁部を囲むように、内周面全体が鏡面に形成され反射面１０ｂとなっている円筒形状の反射部材１０が設置されている。そして、試験用窓１１の内側に近接させて試験光源３が設けられている。
図３に示すように、本体カバー７の正面側（Ａ方向）から見た場合の試験光源３、反射部材１０の中心線１０ａ、受光部１との位置関係は、１直線上に並んでいる。また、試験光源３は、中心線１０ａよりも受光部１から離れるように反射部材１０に近い所定位置に設けられている。
【００１５】
図４には、図３のＡ方向から見た場合に、試験光源３からの光が反射部材１０に反射してどのように進むか模式的に示した。反射部材１０は、受光部１の方向へ光を反射する一部のみ示している。試験光源３の位置を、反射部材１０の中心線１０ａよりずらし反射面１０ｂに近づけたことにより、試験光源３から発し反射面１０ｂで反射した反射光（実線）は、前述の図７（ａ）のように、あまり広がらずに平行光線に近い成分を有するようになり、受光部１の方へ光が届きやすくなる。言わば、試験光源３を円筒形状の反射部材１０の中心線１０ａ上ではなく、内周面に近づけるようにして設置したことにより、放物面を反射板とした状態に近い状態を作り出しているのである。従って、試験光源３の設置位置は、反射面１０ｂと試験光源３との位置関係が、放物面とその焦点との位置関係に最も近似できる位置であることが好ましい。
【００１６】
さらに火災検知器２０では、図５に示すように、反射部材１０の中心線１０ａの延長上に、表示灯１２を設置してもよい。表示灯１２は、火災検知器２０が検知動作中であることや火災を検出した旨、あるいは試験中や故障といった各種の情報を表示するものである。
表示灯１２を反射部材１０の中心線１０ａの延長上に設置することで、表示灯１２の直接光（図５点線）も、反射部材１０に反射した反射光（実線）も、試験用窓１１の大きさに対応した角度で出射する。
【００１７】
火災検知器２０では、複数の火災検知器を統括する受信機（図示せず）からの信号を受けて、試験光源３が光を発すると、その光が試験用窓１１、外気、及び受光用窓２を通って受光部１に受光される。受光部１の受光量に基づいて、検知器１自身により正常レベルか警報レベルかを判断し、結果を受信機に出力し、受信機は警報レベルの信号が返ってくれば警報を発するようになっている。
【００１８】
以上の火災検知器２０によれば、試験光源３を試験用窓１１の内側に収め、試験用窓１１を主面７ａと面一としたので、検知器の表面構造の凹凸が少なく、汚れがつきにくく清掃も容易である。
また、従来のように試験光源３が突出部６に設けられている状態よりは、本体カバー７の内部に設置されたという点において、火災検知器２０では試験光源３からの光は受光部１側に届きにくい。しかし、反射部材１０を円筒形状に形成し、試験光源３を中心線１０ａよりも反射面１０ｂに近づけた最適な位置に配置することで、反射面１０ｂと試験光源３との関係を放物面と焦点の位置関係に近似させ、試験光源３から受光部１に向かう反射光を多くし、受光部１に入射する光量を効率よく増やすことができる。また、反射部材１０は、円筒形状であるので、それ自身の加工も容易であるし、反射部材１０に合わせて加工する試験用窓１１の加工も容易である。
さらに、反射部材１０の中心線１０ａの延長線上に表示灯１２を設けたので、反射部材１０の反射を利用して、表示灯１２の視認範囲を広くとることができる。また、試験光源３と表示灯１２を試験用窓１１の内側に設置し、試験用窓１１を共用化したので、構造を単純化しその分コストを抑えることができる。
【００１９】
なお、本発明は上記実施の形態に限定されず、具体的な形状・構造等において適宜変更可能であることは勿論である。例えば反射部材１０は、完全な円筒形状でなく円筒の一部であってもよいし、上下をくり貫いた球や球の一部であってもよい。
【００２０】
【発明の効果】
請求項１に記載の発明によれば、試験光源を受光部に設けられた透光性の受光用窓と異なる試験用窓の内側に収め、試験用窓を本体カバーの平坦な主面とほぼ面一としたので、検知器表面の凹凸が少なく、したがって、汚れがつきにくく清掃も容易となる。
請求項２に記載の発明によれば、試験光源と表示灯を試験用窓の内側に収め、試験用窓を共用化したので、構造を単純化しその分コストを抑えることができる。
【００２１】
請求項３に記載の発明によれば、反射部材の反射面を前記主面に平行する断面の形状が円又は円弧状になるように形成し、試験光源は、反射面を形成する円又は円弧の各点から等しい距離にある等距離点よりも、反射部材に近い所定位置に設けられている。よって、等距離点を通る直線上に設置するよりも、試験光源から発し反射面で反射した光は平行光に近くなり、試験光源を挟んで反射面とは反対側に位置する受光部に反射光が届きやすくなる。したがって、受光部に入射する光量の効率を増やすことができる。
【００２２】
請求項６に記載の発明によれば、請求項２同様の効果を奏することに加えて、表示灯も反射部材を利用でき、特に前記等距離点を通り前記主面を含む平面に直交する直線上に表示灯を設けたので、表示灯の光が反射面で反射することで、表示灯の正面に広がるエリアのより広い範囲に表示灯からの光が届き、視認される範囲を広げることができる。
【図面の簡単な説明】
【図１】本発明の一例としての火災検知器を示すもので、（ａ）は正面図であり、（ｂ）は側面図である。
【図２】図１の火災検知器の一部を示す断面図である。
【図３】図１の火災検知器の試験光源と受光部の位置関係を説明するための図である。
【図４】試験光源と反射部材との位置関係を示す図である。
【図５】図１の火災検知器において、表示灯を設けた状態を示す断面図である。
【図６】従来の火災検知器の一部を示す断面図である。
【図７】反射板の形状の違いによる反射光の方向を示す模式図であり、（ａ）は反射板が放物面である場合、（ｂ）は平板である場合、（ｃ）は平板と曲面とからなる場合で、符号３’が試験光源、符号４’が反射板を示したものである。
【符号の説明】
１      受光部
２      受光用窓
３      試験光源
７      本体カバー
７ａ    主面
１０    反射部材
１０ａ    中心線
１０ｂ    反射面
１１    試験用窓
１２    表示灯
【図１】
0003964128.tif 000002
【図２】
0003964128.tif 000003
【図３】
0003964128.tif 000004
【図４】
0003964128.tif 000005
【図５】
0003964128.tif 000006
【図６】
0003964128.tif 000007
【図７】
0003964128.tif 000008